(57)【要約】【課題】  建物側壁に通気性に富む吸音材により構成する換気筒を貫設し、消音手段として、換気筒内に多孔円筒材の内筒、外筒及び吸音材を同心状に内装し、屋内外双方向への騒音を、吸音材及び消音手段へ通過し、吸収・減衰して消音と同時に換気を行う消音換気筒を提供しようとするものである。【解決手段】  建物側壁に通気性吸音材により成形した換気筒１を貫設し、該換気筒内には多数の小孔群を穿設した多孔円筒材の内筒２、外筒３及び両筒間に通気性に富む吸音材を填装した吸音層４を、層状筒形に形成して室内側を同換気筒の室内側端部に支設し、同内筒の室外側を閉塞状とし、同室内側には防塵・消音フィルター５を嵌設し、同換気筒の室外開口端には風雨を遮蔽するフード６を覆設している。【選択図】  図１
0003106934.tif 000002
【実用新案登録請求の範囲】
【請求項１】
建物側壁に通気性吸音材により形成した換気筒（１）を貫設し、該換気筒内には多数の小孔群を穿設した多孔円筒形の内筒（２）、外筒（３）及び両筒間に通気性に富む吸音材を填装した吸音層（４）を、層状筒形に形成して室内側を同換気筒の室内側端部に支設し、同内筒の室外側を閉塞状とし、同室内側には防塵・消音フィルター（５）を嵌設し、同換気筒の室外開口端には風雨を遮蔽するフード（６）を覆設してなり、屋内外双方向への騒音を、換気筒の吸音材、吸音層を填装した多孔円筒材及び消音フィルター材により吸収し、消音と同時に換気を行うことを特徴とする消音換気筒。
【考案の詳細な説明】
【技術分野】
【０００１】  本考案は、建物側壁に貫設して屋内外双方向への換気を行う換気筒に、消音手段を内装し、屋内外双方向への騒音振動を、消音手段の構成部材へ通過し、吸収して減衰する消音換気手段に関するものである。
【背景技術】
【０００２】  従来の消音換気装置として、環境騒音レベルが高いとき、建物の壁体構造に遮音対策を施し、容積の大きい換気装置のダクトまたは消音室を設け、内張りした吸音材により騒音振動を吸収して消音を図るものがあり、また、能動的に騒音波を検出して騒音と逆位相波を発振して消音を図るものが提案されている。【０００３】  通常、吸音材を内張りした換気装置のダクトまたは消音室は比較的容積が大きいため、小規模の住宅には適用し難く、能動的に騒音と逆位相波を発振して消音を図るものは、装置が複雑・高価となり、一般の建物には適用し難い問題がある。
【考案の開示】
【考案が解決しようとする課題】
【０００４】  本考案は、上記の問題に鑑みてなされたものであって、その目的とするところは、建物側壁に通気性に富む吸音材により構成する換気筒を貫設し、消音手段として、換気筒内に多孔円筒材の内筒、外筒及び吸音材を同心状に内装し、屋内外双方向への騒音を、吸音材及び消音手段へ通過し、吸収・減衰して消音と同時に換気を行う消音換気筒を提供しようとするものである。
【課題を解決するための手段】
【０００５】  上記目的を達成するために、本考案における消音換気筒においては、建物側壁に通気性吸音材により形成した換気筒を貫設し、該換気筒内には多数の小孔群を穿設した多孔円筒形の内筒、外筒及び両筒間に通気性に富む吸音材を填装した吸音層を、層状筒形に形成して室内側を同換気筒の室内側端部に支設し、同内筒の室外側を閉塞状とし、同室内側には防塵・消音フィルターを嵌設し、同換気筒の室外開口端には風雨を遮蔽するフードを覆設してなり、屋内外双方向への騒音を、換気筒の吸音材、吸音層を填装した多孔円筒材及び消音フィルター材により吸収し、消音と同時に換気を行うことを特徴としている。【０００６】  また、上記構成のものにおいて、換気筒は、通気性多孔質のグラスウール、ロックウール及び発泡ウレタン等の吸音材を補強部材と共に厚肉の筒状に成型加工を行い、内筒と外筒とは、多孔円筒材として樹脂又は板金の円筒に、多数の小孔群を穿設し、両筒間には、通気性の吸音材を填装し、内筒の室内開口側に通気性に富む防塵・消音フィルターを嵌設している。
【考案の効果】
【０００７】
【０００８】  請求項１の消音換気筒においては、換気筒及び多数の小孔群を穿設した多孔円筒材の内筒ならびに外筒を設け、両筒間に通気性に富む吸音材の吸音層を填装しており、換気に要する通気流量を阻碍することがなく、屋内外の自然換気が可能であると同時に、屋外より屋内への騒音振動は、換気筒と外筒との隙間空間における乱反射ないし共鳴により、長波長側の騒音振動が減衰される傾向を呈し、換気筒の厚肉の吸音材へ浸透状に伝播して吸収され、残余の騒音振動は、外筒の小孔群より乱反射状に侵入して内筒との間の吸音層に浸透して吸収されると共に、内筒の小孔群より乱反射状に内筒内位へ侵入し、短波長側の騒音は内筒内位における共鳴により減衰し、さらに、防塵・消音フィルターを通過して吸収され、屋内への消音効果が得られ、逆に屋内に起因する騒音は、上記と逆順に騒音の振動が防塵・消音フィルターを通過するとき吸収されて減衰し、短波長側の騒音の振動は、内筒内位における共鳴により減衰し、内筒の小孔群を乱反射状に通過し、外筒との間の吸音層に浸透して吸収され、さらに、長波長側の騒音振動は、外筒と換気筒との隙間空間における乱反射ないし共鳴により減衰され、残余の騒音振動は、換気筒の吸音材へ浸透状に伝播し、吸収されて屋外への消音効果が得られる。【０００９】  また、換気筒、外筒及び内筒の構成において、特に、容積の大きい消音室を設けることなく、各筒及び吸音層を同心状の多重構造として断面直径を可及的小径に設定するため、側壁を貫通する換気孔を最小に押さえて簡易に施工を行い、壁体の強度低下を極小とし、小規模の建物にも適用することができる。
【考案を実施するための最良の形態】
【００１０】  考案の実施の形態を図面の実施例につき説明すると、図１及び図２において、建物側壁に通気性吸音材の換気筒１を貫設し、該換気筒内には多数の小孔群を穿設した多孔円筒材の内筒２、外筒３及び両筒間に通気性に富む吸音材を填装した吸音層４を、層状筒形に形成して室内側を同換気筒の室内側端部に支設し、同内筒の室外側を閉塞状とし、同室内側には防塵・消音フィルター５を嵌設し、同換気筒の室外開口端には風雨を遮蔽するフード６を覆設してなり、屋外よりの侵入騒音、屋外への漏洩騒音を構成部材の吸音材、多孔円筒材及び消音フィルター材により吸収し、消音と同時に換気を行うこととしている。【００１１】  上記換気筒１、内筒２、外筒３及び吸音層４の多重構造により、建物の壁体強度を低下することなく壁体に貫通する開孔を可及的最小として、簡易に工事を行うこととしている。
【実施例】
【００１２】  図１において、換気筒１及び吸音層４は、通気性に富む多孔質のグラスウール、ロックウール及び発泡ウレタン等の吸音材を適用し、必要に応じて補強のための網材と共に厚肉の筒状に成型加工を行い、内筒２と外筒３とは、多孔円筒材として樹脂又は板金の円筒に、多数の小孔群を穿設し、両筒間には、上記吸音層４を填装し、内筒２の室内開口側に通気性に富む防塵・消音フィルター５を嵌設している。【００１３】  通気性吸音材の換気筒１内位における、多孔円筒材の内筒２、外筒３及び通気性に富む吸音材の吸音層４は、いずれも換気に要する通気流量を通過可能とすると同時に、各筒の長さ、直径、各部材の材質と厚さ、部材相互の間隔及び小孔の直径、各部材の固有振動数について、消音効果への寄与率を向上するよう実験的に設定を行う。【００１４】  また、換気筒１の室外開口端に覆設したフード６は、換気筒１及び内装各部を屋外の風雨より遮蔽して保護するものである。
【図面の簡単な説明】
【００１５】
【図１】本考案の縦断面図である。
【図２】図１のＡ−Ａにおける横断面図である。
【符号の説明】
【００１６】    １  換気筒
２  外筒
３  内筒
４  吸音層
５  防塵・消音フィルター
６  フード
７  カバー
Ｗ  壁
【図１】
0003106934.tif 000003
【図２】
0003106934.tif 000004